(57)【要約】【課題】  ユーザの所望により任意の機能キーを無効化設定できるとともに、当該機能キーを有効化したい場合には、簡単なキー操作で一時的に有効化できるようにする。【解決手段】  システムコントローラ１０は、リモコン送信機１８の任意の機能キーを無効化設定できる機能、及びリモコン送信機１８のキー操作により無効化設定されているキーを一時的に有効化できる機能を備えており、リモコン送信機１８から無効化設定されている機能キーのキー操作信号を受信したとき、当該機能キーが無効化設定されていることを表示パネル１３に表示するとともに、一時的に有効化するための特定の機能キーの組合せを併せて表示する。この場合、複数組の中の任意の組が設定されている機能キーについては、表示パネル１３に無効化設定されていることを表示する一方で、有効化するための機能キーの組合せについては表示しない。【選択図】  図１
2006013946.tif 000002
【特許請求の範囲】
【請求項１】
多数の機能キーを有するリモコン送信機からのキー操作信号を受信して動作する電子機器のリモコン受信装置であって、
前記リモコン送信機の任意のキーを無効化設定できるとともに、前記リモコン送信機のキー操作により無効化設定されているキーを一時的に有効化できる機能を備えており、
無効化設定されている機能キーを一時的に有効化するための前記リモコン送信機のキー操作は、前記多数の機能キーのうち、２以上の特定の機能キーの組合せであり、かつ、このような特定の機能キーの組合せが複数組用意されており、
前記リモコン送信機から無効化設定されている機能キーのキー操作信号を受信したとき、当該機能キーが無効化設定されていることを表示手段に表示するとともに、一時的に有効化するための前記特定の機能キーの組合せを併せて表示する一方、前記複数組の中の任意の組が設定されている機能キーについては、前記表示手段に無効化設定されていることを表示する一方で、有効化するための機能キーの組合せについては表示しないことを特徴とするリモコン受信装置。
【請求項２】
多数の機能キーを有するリモコン送信機からのキー操作信号を受信して動作する電子機器のリモコン受信装置であって、
前記リモコン送信機の任意のキーを無効化設定できるとともに、前記リモコン送信機のキー操作により無効化設定されているキーを一時的に有効化できる機能を備えたことを特徴とするリモコン受信装置。
【請求項３】
無効化設定されている機能キーを一時的に有効化するための前記リモコン送信機のキー操作は、前記多数の機能キーのうち、２以上の特定の機能キーの組合せであることを特徴とする請求項２に記載のリモコン受信装置。
【請求項４】
前記特定の機能キーの一つが、有効化のために別途用意された固有の機能キーであることを特徴とする請求項３に記載のリモコン受信装置。
【請求項５】
前記リモコン送信機から無効化設定されている機能キーのキー操作信号を受信したとき、当該機能キーが無効化設定されていることを表示する表示手段を備えていることを特徴とする請求項２ないし請求項４のいずれかに記載のリモコン受信装置。
【請求項６】
前記表示手段は、無効化設定されている機能キーを一時的に有効化するための前記特定の機能キーの組合せを併せて表示することを特徴とする請求項５に記載のリモコン受信装置。
【請求項７】
無効化設定されている機能キーを一時的に有効化するための特定の機能キーの組合せが複数組用意されており、前記表示手段は、前記複数組の中の任意の組が設定されている機能キーについては、前記表示手段に無効化設定されていることを表示する一方で、有効化するための機能キーの組合せについては表示しないことを特徴とする請求項５に記載のリモコン受信装置。
【発明の詳細な説明】
【技術分野】
【０００１】
本発明は、多数の機能キーを有するリモコン送信機からのキー操作信号を受信して動作する電子機器のリモコン受信装置に関する。
【背景技術】
【０００２】
近時の電子機器は、テレビジョン受像機、ビデオカセットレコーダ、ＣＤやＤＶＤ等の光ディスク装置、空調機など、多くの電子機器にリモコン送信機が備えられている。また、これら電子機器の多機能化によりリモコン送信機に設けられている機能キーも増加する傾向にあり、狭いスペースに多くの機能キーが密集して設けられている。
【０００３】
このような多機能のリモコン送信機では、例えばセットアップキー等、普段は使わない機能キーも多い。一方、このような機能キーを不用意に押してしまった場合に、元に戻すのに複数の手順を経なければならなかったりして、苦労するという場合も多い。特に、最近の多機能化についてゆけない老人や子供等にとっては、元に戻すことができない場合もある。また、普段よく使う機能キーであっても、不用意に押してしまうことで、重大な事態を招く場合もある。例えば、「録画」キーは、このキーを押すだけで自動的に録画モードになるが、ユーザがビデオカセット等を装填して再生しようとしたときに、誤ってこの「録画」キーを押してしまった場合には、それに気づいて録画を解除するまでの間、別の画像がビデオカセットのテープに記録されてしまい、元の記録画像に欠落部分が生じてしまうといった事態を招くことになる。
【０００４】
そこで、このような不具合を防止するため、リモコン送信機にスライド式の蓋を取り付け、普段使用しないキーについてはこの蓋で隠してしまうようにしたものがある。
【０００５】
また、普段使用しない機能キーを特定のキー操作によって無効化設定できるように工夫されたリモコン受信装置も提案されている（例えば、特許文献１、特許文献２参照）。
【０００６】
特許文献１の装置（リモコンを用いた電子機器の制御キーロック方法）は、使用頻度の少ない特定キーを所定時間押す（長押しする）ことによって、本来の機能を無視して電子機器制御キーロック機能を行うようになっている。また、有効化するときも同様に、その特定キーを所定時間押す（長押しする）ことによって、本来の機能を有効とすることができるようになっている。
【０００７】
また、特許文献２の装置（リモコンロックシステム）は、リモコン送信機のキーを無効化設定できるリモコンロックシステムにおいて、無効化設定時にユーザが任意のキーを押し下げすることで当該押し下げキーごとに無効化設定できるようになっている。また、無効化設定の解除方法として、例えば装置本体の電源スイッチをオフしたとき、自動的に無効化設定を解除する方法が提案されている。
【特許文献１】特開平１０−２００９７０号公報
【特許文献２】特開２００４−５６５２９号公報
【発明の開示】
【発明が解決しようとする課題】
【０００８】
しかしながら、リモコン受信機にスライド蓋を設ける構造では、製造コストがかかる上に、スライド蓋で使用不可とされる機能キーは、メーカ側によって設定された機能キーであるため、これらの機能をよく使うユーザにとっては逆に使いづらいといった問題があった。
【０００９】
また、上記特許文献１のものでは、ユーザの所望するキーのみを無効化設定できるものの、その無効化設定したキーを使用したい場合には、その無効化設定を一旦解除して有効化する必要があった。この場合、一旦有効としてそのキーを使用した後、再び無効化設定することを忘れた場合には、その後不用意にそのキーを押してしまうことで、重大な事態を招く場合もあるといった問題があった。つまり、無効化設定及び有効化設定は、いずれもユーザが行わなければならず、その設定を忘れた場合に不測の事態を招く可能性があった。
【００１０】
また、上記特許文献２のものでは、ユーザが任意のキーを無効化設定できるものの、装置本体の電源オフ時にはその無効化設定が解除されてしまうため、電源を投入するたびに無効化設定を行わなければならず、わずらわしいといった問題があった。また、無効化設定を忘れた場合には、その後不用意にそのキーを押してしまうことで、重大な事態を招く場合もあるといった問題があった。
【００１１】
本発明はかかる問題点を解決すべく創案されたもので、その目的は、ユーザの所望により任意の機能キーを無効化設定できるとともに、当該機能キーを有効化したい場合には、簡単なキー操作で一時的に有効化し、その後は再び無効化設定に復帰することで、無効化設定の設定忘れといった上記の問題を解決したリモコン受信装置を提供することにある。
【課題を解決するための手段】
【００１２】
上記課題を解決するため、本発明のリモコン受信装置は、多数の機能キーを有するリモコン送信機からのキー操作信号を受信して動作する電子機器のリモコン受信装置であって、前記リモコン送信機の任意のキーを無効化設定できるとともに、前記リモコン送信機のキー操作により無効化設定されているキーを一時的に有効化できる機能を備えたことを特徴としている。具体的には、無効化設定されている機能キーを一時的に有効化するための前記リモコン送信機のキー操作は、前記多数の機能キーのうち、２以上の特定の機能キーの組合せとなっている。この場合、前記特定の機能キーの一つが、有効化のために別途用意された固有の機能キーであってもよい。
【００１３】
２以上の特定の機能キーの組合せの例としては、例えば数字キー（例えば「３」キー）と「一時停止」キーの組合せなど、普段使わない順番のキー操作が考えられる。また、有効化するための別途のキー（例えば、「ＩＤ」キー）をリモコン送信機に別途設ける場合には、２以上の特定の機能キーの組合せの例としては、この「ＩＤ」キーと数字キー（例えば「１」キー）との組合せや、「ＩＤ」キーと文字キーの組合せなど、様々な組合せが考えられる。
【００１４】
また、本発明によれば、前記リモコン送信機から無効化設定されている機能キーのキー操作信号を受信したとき、当該機能キーが無効化設定されていることを表示する表示手段を備えていてもよい。表示手段としては、装置本体の前面に設けられているＬＥ管やＬＣＤ等の表示パネルを利用することができる。このように、ユーザが操作した機能キーが無効化設定されているキーであることを表示パネルに表示することで、リモコン送信機や装置本体側の受光部の故障であるかのようにユーザが錯覚してしまうことを防止することができる。
【００１５】
この場合、前記表示手段は、無効化設定されている機能キーを一時的に有効化するための特定の機能キーの組合せを併せて表示するように構成してもよい。上記の例でいえば、『キーを有効化するには「３」キーと「一時停止」キーを押して下さい。』等の表示を行う。これにより、ユーザは、即座にその機能キーを有効化することが可能となる。この場合、その機能キーが有効である状態は一時的（例えば、１０秒間等）であり、その後は再び無効化設定に復帰するため、ユーザが有効化の状態から再び無効化設定を行うといった手間を省くことができる。
【００１６】
また、本発明によれば、無効化設定されている機能キーを一時的に有効化するための特定の機能キーの組合せを複数組用意しておいてもよい。そして、前記表示手段は、前記複数組の中の任意の組が設定されている機能キーについては、表示手段に無効化設定されていることを表示する一方で、有効化するための機能キーの組合せについては表示しないように構成してもよい。
【００１７】
具体例を挙げて説明すると、例えば特定の機能キーの組合せとして、「ＩＤ」キーと「３」キーの組合せと、「ＩＤ」キーと「９」キーの組合せの２組（２種類）の組合せを用意する。そして、例えば「ＩＤ」キーと「３」キーの組合せについては、普段使用しない通常の機能キーを有効化する場合に使用し、「ＩＤ」キーと「９」キーの組合せについては、普段使用しないが重要である機能キー（例えば、「セットアップ」キー等）を有効化する場合に使用する。そして、この「ＩＤ」キーと「９」キーの組合せについては、これが割り振られている機能キー（「セットアップ」キー等）が押された場合でも、その機能キーが無効化設定されていることを表示手段に表示するが、これを有効化する上記組合せについては非表示とする。
【００１８】
このように、無効化設定されている機能キーを一時的に有効化するための特定の機能キーの組合せを複数組用意することで、誰でもが簡単に有効化できる機能キーと、特定の人しか有効化できない機能キーとを使い分けることができるため、ユーザにとって使い勝手が向上するものである。
【発明の効果】
【００１９】
本発明のリモコン受信装置によれば、リモコン送信機の任意のキーを無効化設定できるとともに、リモコン送信機のキー操作により無効化設定されているキーを一時的に有効化できる機能を備えた構成としたので、不用意にリモコン送信機の機能キーを押してしまうことで設定が変わってしまい、これを元の設定に戻すのに苦労するといった不便さを解消することができる。また、例えば録画キーを無効化設定しておくことにより、再生時に録画キーを不用意に押してしまうことで記録画像の一部に別の画像が録画されてしまい、記録画像に欠落部分が生じてしまうといった重大な事態の発生を未然に防止することができる。
【００２０】
また、本発明のリモコン受信装置によれば、リモコン送信機から無効化設定されている機能キーのキー操作信号を受信したとき、当該機能キーが無効化設定されていることを表示する表示手段を備えた構成としたので、リモコン送信機や装置本体側の受光部の故障であるかのようにユーザが錯覚してしまうことを防止することができる。また、無効化設定されている機能キーを一時的に有効化するための特定の機能キーの組合せを併せて表示するように構成したので、無効化設定の機能キーを即座に有効化して操作することが可能となる。この場合、その機能キーが有効である状態を一時的とし、その後は再び無効化設定に復帰するように構成したので、ユーザが有効化の状態から再び無効化設定を行うといった手間を省くことができる。
【００２１】
さらに、本発明のリモコン受信装置によれば、無効化設定されている機能キーを一時的に有効化するための特定の機能キーの組合せを複数組用意することで、誰でもが簡単に有効化できる機能キーと、特定の人しか有効化できない機能キーとを使い分けることができ、ユーザにとっての使い勝手を向上させることができる。
【発明を実施するための最良の形態】
【００２２】
以下、本発明の実施の形態について、図面を参照して説明する。
【００２３】
図１は、本発明のリモコン受信装置をＤＶＤレコーダに適用した場合のシステム構成を示している。
【００２４】
装填された光ディスク１にデータを書き込むとともに光ディスク１からデータを読み込む光ピックアップ３の出力は、ＲＦアンプ５を介してデジタル信号処理回路７に接続されており、デジタル信号処理回路７の出力は、光ピックアップ３によるデータの書き込み時や読み込み時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらデジタル信号処理回路７及びサーボ処理回路９は、装置全体の動作制御を行うシステムコントローラ１０と双方向に接続されている。
【００２５】
デジタル信号処理回路７には、記録動作時や再生動作時にデータを一時的に蓄積するバッファとしてのＤＲＡＭ６が双方向に接続されているとともに、デジタルデータをアナログデータに変換してＣＲＴ等の表示装置２１に出力するＤ／Ａ変換回路１２が接続されている。また、デジタル信号処理回路７には、デジタルのテレビジョン放送信号を受信するチューナ回路（ＢＳチューナ，ＣＳチューナ等）１６が接続されている。
【００２６】
システムコントローラ１０には、光ディスク１のパラメータやレーザパワーのパラメータ等の固有情報を格納しておくためのＥＥＰＲＯＭ１１が双方向に接続されているとともに、リモコン送信機１８からの赤外線信号を受信する受信部１４が接続されている。また、システムコントローラ１０には、装置本体前面に設けられたＬＣＤ等からなる表示パネル１３が接続されている。
【００２７】
デジタル信号処理回路７は、光ピックアップ３によって読み込まれたデータを処理する機能を有しており、ＥＦＭ復調や、ＡＣＩＲＣ（Advanced Cross Interleaved Reed-Solomon Code）による誤り訂正方式に従って、１６ビットの信号を８ビットづつに区切り、その８ビットを１４ビットに変換するといった処理等を行う。また、デジタル信号処理回路７は、復調したオーディオデータを音声伸長処理してＤ／Ａ変換回路１２に出力する。Ｄ／Ａ変換回路１２は、音声伸長処理されたオーディオデータをアナログ信号に変換して出力する。また、デジタル信号処理回路７は、チューナ回路１６によって受信されたデジタルのテレビジョン放送信号を、光ディスク１に書き込むためのデータ圧縮等の処理を行う。
【００２８】
システムコントローラ１０は、図示は省略しているがＣＰＵ、ＲＯＭ、ＲＡＭ等から構成されており、光ピックアップ３を制御して番組の録画処理や再生処理を実行する。これらの処理を実行するためのプログラムはＲＯＭに予め格納されており、システムコントローラ１０は、各処理の実行時にはＲＯＭから読み込んだプログラムをＲＡＭ上に展開して処理を実行する。
【００２９】
また、システムコントローラ１０は、リモコン送信機１８の任意の機能キーを無効化設定できる機能を備えているとともに、リモコン送信機１８のキー操作により無効化設定されているキーを一時的に有効化できる機能を備えている。また、システムコントローラ１０は、リモコン送信機１８から無効化設定されている機能キーのキー操作信号を受信したとき、当該機能キーが無効化設定されていることを表示パネル１３に表示するとともに、一時的に有効化するための特定の機能キーの組合せを併せて表示する機能も備えている。この場合、複数組の中の任意の組が設定されている機能キーについては、表示パネル１３に無効化設定されていることを表示する一方で、有効化するための機能キーの組合せについては表示しない構成となっている。
【００３０】
図２は、リモコン送信機１８に設けられている機能キーの一例を示す概略説明図である。
【００３１】
リモコン送信機１８には、主なものとして、「電源」キー１８ａ、トレイの「開／閉」キー１８ｂ、画質を調整する「画質」キー１８ｃ、上下左右のスクロールキー１８ｄ、チャンネルのアップダウンキー１８ｅ、「音量」キー１８ｆ、「再生」キー１８ｇ、「停止」キー１８ｈ、「早送り」キー１８ｉ、「巻戻し」キー１８ｊ、「一時停止」キー１８ｋ、「メニュー」キー１８ｍ、「セットアップ」キー１８ｎ、「録画」キー１８ｓ、数字キー１８ｒなどが設けられている。なお、図示は省略しているが、この他にも必要に応じて各種機能キーが設けられている。また、本実施形態では、この他にも新たに「ＩＤ」キー１８ｔを設けることも可能である。
【００３２】
上記構成のＤＶＤレコーダにおいて、まず始めに、システムコントローラ１０による機能キーの無効化設定の処理動作について説明する。
【００３３】
ユーザは、自分の好みに合わせて、例えば普段あまり使用しない機能キーや不用意に操作してしまうと問題があると考える機能キーを任意に選択して無効化設定できるようになっている。無効化設定は、ＤＶＤレコーダのセットアップ時に行う。すなわち、セットアップ画面から機能キーの無効化設定画面を呼び出し、表示装置２１に表示する。
【００３４】
無効化設定画面は例えば図３に示すようになっており、リモコン送信機１８に設けられている全ての機能キーの名称が、チェックボックス３１とともに列記されている。また、画面左下には、この画面で無効化設定された機能キーを一時的に有効化するためのキー操作の組合せを登録するための画面（ＩＤ登録画面）３２が表示されている。このＩＤ登録画面３２は、本実施形態では２つのキーの組合せとなっているが、組合せ数は３つ以上でもよい。ただし、ここでのＩＤ登録はいわゆるセキュリティのためのものではないので、比較的簡単なものがよく、また、不用意に操作してしまうことがないようにという観点からすれば、２つ程度の組合せが好適である。また、ＩＤ登録画面３２には、ここで登録したキーの組合せを表示パネル１３に表示するか非表示とするかを選択するための選択窓３２ｃが設けられている。
【００３５】
ユーザは、この画面を見ながら、リモコン送信機１８のスクロールキー１８ｄを適宜操作して、無効化設定したいキーにカーソルを移動させ、その状態でチェックボックス３１にチェックを入れる（例えば、スクロールキー１８ｄの中央部にある「決定」キーを操作する等）。この操作を、無効化設定したい全てのキーに対して行う。その後、ユーザは、ＩＤ登録画面３２に、ここで無効化設定した機能キーを一時的に有効化するためのキー設定を行う。ここでのキー設定は、リモコン送信機１８に設けられている全ての機能キーを対象としてもよいが、例えば最初のキーを電源キー１８ａとした場合、２つ目の機能キーを操作する前にＤＶＤレコーダの電源が切れてしまう可能性もある。従って、このような不具合が考えられる機能キーについては、システム側で予めＩＤ登録の登録不可キーとして内部に設定しておき、ユーザがこれらのキーをＩＤ登録しようとしたときには、登録不可であることを画面に表示するようにすればよい。
【００３６】
ＩＤ登録の例としては、例えば数字キー１８ｒの中の「３」キー１８ｒ３と「一時停止」キー１８ｋの組合せが考えられる。図３は、このときの登録例を示している。また、リモコン送信機１８に専用の「ＩＤ」キー１８ｔを設けている場合には、ＩＤ登録画面３２の最初のキー入力窓３２ａに「ＩＤ」と最初から表示し、ユーザは２つ目のキー入力窓３２ｂのみに任意の機能キーを登録するように構成すればよい。このときのＩＤ登録の例としては、例えば「ＩＤ」キー１８ｔと数字キー１８ｒの中の任意の数字（例えば「９」キー１８ｒ９）との組合せが考えられる。ここで、ユーザは、今回設定したＩＤ登録の内容を表示パネル１３に表示したくない場合には、選択窓３２ｃにチェックを入れる。これにより、そのＩＤ登録されたキーの組合せが非表示に設定されることになる。
【００３７】
この後、ユーザは、ＩＤ登録画面３２でのキーの組合せを登録すると、画面右下に設けられている「決定」キー３３を操作する。これにより、チェックボックス３１にチェックが入っている全ての機能キーを無効化設定することができ、かつ、これらを一時的に有効化するためのキーの組合せと、このキーの組合せを表示するか非表示とするかの設定も同時に登録されることになる。この場合、一時的に有効化するためのキーの組合せは、複数組登録することも可能である。すなわち、無効化設定する複数の機能キーを有効化するためのキーの組合せを１種類のみとするのではなく、例えば、無効化設定する複数の機能キーのうちある数の機能キーについては、第１のキーの組合せ（例えば、「３」キーと「一時停止」キーの組合せ）とし、他の１または複数の機能キーについては、第２の組合せ（例えば、「ＩＤ」キーと「９」キーの組合せ）とすることが可能である。システムコントローラ１０は、このように設定された無効化設定データや有効化のためのキーの組合せデータ及びその表示・非表示の情報をＥＥＰＲＯＭ１１に保存する。
【００３８】
なお、上記の例では、無効化設定画面に全ての機能キーを列記する形で表示し、その中から個別に機能キーを選択して無効化設定するように構成しているが、これら機能キーを動作の面から分類して各モードとして一まとめにし、そのモード単位で無効化設定を行えるように構成してもよい。これにより、その一まとまりの機能キーを一度に無効化設定できるので、ＤＶＤレコーダに弱いユーザでもモード単位で簡単に無効化設定が行え、かつ、操作性も向上させることができる。
【００３９】
次に、上記のようにして無効化設定された機能キーを一時的に有効化するときの処理動作について説明する。
【００４０】
なお、ここでは、無効化設定されている機能キーとして、「セットアップ」キー１８ｎと「録画」キー１８ｓとが設定されているものとし、また、「セットアップ」キー１８ｎを一時的に有効化するためのキーの組合せとして「ＩＤ」キー１８ｔと「９」キー１８ｒ９とが登録されており、「録画」キー１８ｓを一時的に有効化するためのキーの組合せとして「３」キー１８ｒ３と「一時停止」キー１８ｋとが登録されているものとする。さらに、本実施形態では、リモコン送信機１８の無効化設定されている機能キーが操作されたときには、表示パネル１３に無効化設定されている旨の表示を行う構成としているが、普段使用しないが重要である機能キーである例えば「セットアップ」キー１８ｎについては、これを有効化するためのキーの組合せを非表示とするように設定されているものとする。
【００４１】
以下、図４に示すフローチャートを参照して、無効化設定された機能キーを一時的に有効化する処理を具体的に説明する。
【００４２】
システムコントローラ１０は、リモコン送信機１８からのキー操作信号を受信したか否かを常に監視する（ステップＳ１）。そして、キー操作信号を受信すると、受信したキー操作信号が無効化設定されている機能キーの信号であるか否かを、ＥＥＰＲＯＭ１１に保存されている無効化設定データを参照して確認する（ステップＳ２）。その結果、無効化設定されていないキー操作信号である場合（ステップＳ２でＮｏと判断された場合）には、システムコントローラ１０はそのキー操作信号に従った処理を実行する（ステップＳ９）。
【００４３】
一方、受信したキー操作信号が無効化設定されている機能キーの信号である場合（ステップＳ２でＹｅｓと判断された場合）には、次に、その機能キーを有効化するためのキーの組合せを非表示するように設定されているか否かを確認する（ステップＳ３）。
【００４４】
その結果、非表示でない場合（ステップＳ３でＮｏと判断された場合）には、表示パネル１３に当該機能キーが無効化設定されている旨を表示するとともに、その機能キーを一時的に有効化するためのキーの組合せを併せて表示する（ステップＳ４）。一方、非表示するように設定されている場合（ステップＳ３でＹｅｓと判断された場合）には、表示パネル１３に当該機能キーが無効化設定されている旨を表示する一方で、その機能キーを一時的に有効化するためのキーの組合せは表示しない（ステップＳ５）。
【００４５】
具体的には、リモコン送信機１８から送信されてきたキー操作信号が「録画」キー１８ｓの信号であった場合には、非表示には設定されていないので（ステップＳ３でＮｏと判断されるので）、この場合には、表示パネル１３に、『「録画」キーは無効化設定されています。』といったメッセージを表示するとともに、『「録画」キーを有効化するには「３」キーと「一時停止」キーを押した下さい。』といったメッセージを表示する。一方、リモコン送信機１８から送信されてきたキー操作信号が「セットアップ」キー１８ｎの信号であった場合には、非表示に設定されているので（ステップＳ３でＹｅｓと判断されるので）、この場合には、表示パネル１３に、『「セットアップ」キーは無効化設定されています。』といったメッセージを表示する一方で、「セットアップ」キーを有効化するキーの組合せについてはこれを表示しない。
【００４６】
この後、システムコントローラ１０は、有効化するためのキーの組合せが操作されたか否かを確認する（ステップＳ６）。そして、有効化するためのキー操作が行われた場合（ステップＳ６でＹｅｓと判断された場合）には、その時点から一定時間（例えば、１０秒等）を図示しない内部タイマー回路で計測し（ステップＳ７）、その一定時間が経過するまでにリモコン送信機１８からキー操作信号（このときのキー操作信号は、実質的には、無効化設定されている機能キーの中で一時的に有効化されている機能キーのキー操作信号である）を受信したか否かを確認する（ステップＳ８）。
【００４７】
その結果、一定時間の間にキー操作信号を受信した場合（ステップＳ８でＹｅｓと判断された場合）には、システムコントローラ１０はそのキー操作信号に従った処理を実行する（ステップＳ９）。一方、有効化するためのキー操作が行われた後、一定時間が経過しても新たなキー操作信号を受信しなかった場合（ステップＳ７でＮｏと判断された場合）には、そのまま処理を終了する。なお、システムコントローラ１０は、ステップＳ７で一定時間が経過した後、またはステップＳ９の処理を終了した後は、有効化していた機能キーを再び元の無効化設定状態に復帰させる。
【００４８】
なお、上記実施形態では、機能キーが無効化設定されている旨のメッセージや、一時的に有効化するためのキーの組合せを表示パネル１３に表示する構成としているが、表示パネル１３ではなく表示装置２１の画面に表示するように構成してもよい。
【図面の簡単な説明】
【００４９】
【図１】本発明のリモコン送信装置をＤＶＤレコーダに適用した場合のシステム構成図である。
【図２】リモコン送信機１８に設けられている機能キーの一例を示す概略説明図である。
【図３】機能キーを無効化設定するときの無効化設定画面例を示す説明図である。
【図４】無効化設定された機能キーを一時的に有効化する処理手順を説明するためのフローチャートである。
【符号の説明】
【００５０】
１  光ディスク
２  スピンドルモータ
３  光ピックアップ
４  フィードモータ
５  ＲＦアンプ
６  ＤＲＡＭ（メモリバッファ）
７  デジタル信号処理回路
８  レーザドライバ
９  サーボ処理回路
１０  システムコントローラ
１１  ＥＥＰＲＯＭ（メモリ）
１２  Ｄ／Ａ変換回路
１３  表示パネル
１４  受信部
１６  チューナ回路
１８  リモコン送信機
２１  表示装置
【図１】
2006013946.tif 000003
【図２】
2006013946.tif 000004
【図３】
2006013946.tif 000005
【図４】
2006013946.tif 000006